(57)【要約】【課題】建築物のシミュレーションを行うツールが建築物販売等の営業活動において有効活用されるようにする。【解決手段】建築物の内外装材の選択に応じて、選択された内外装材に対応付けられたテクスチャデータを内外装材に適用した場合の建築物空間のシミュレーションを行うシミュレーション部と、テクスチャデータが反映された建築物空間の画像を含み、選択された内外装材の確認に用いられる確認書を出力する確認書出力部とを備えて仮想空間シミュレーション装置を構成する。【選択図】図１
2019144791.tif 000002
【特許請求の範囲】
【請求項１】
建築物の内外装材の選択に応じて、選択された内外装材に対応付けられたテクスチャデータを内外装材に適用した場合の建築物空間のシミュレーションを行うシミュレーション部と、
前記テクスチャデータが反映された建築物空間の画像を含み、選択された内外装材の確認に用いられる確認書を出力する確認書出力部と
を備える仮想空間シミュレーション装置。
【請求項２】
選択された内外装材に対応する費用の見積もり処理を実行する見積もり部をさらに備え、
前記確認書出力部は、前記見積もり部による見積もり処理の結果を前記確認書に含める
請求項１に記載の仮想空間シミュレーション装置。
【請求項３】
前記シミュレーション部は、
基本となるテーマに対応して住宅に備えられる内外装材を示す複数の基本テーマ情報のうちから、入力された施主の属性に基づいて、前記施主に適合する基本テーマ情報を判定し、
前記建築物空間のシミュレーションを行うにあたり、判定された基本テーマ情報において示される内外装材に対応付けられたテクスチャデータを利用して内外装材を描画する
請求項１または２に記載の仮想空間シミュレーション装置。
【請求項４】
コンピュータを、
建築物の内外装材の選択に応じて、選択された内外装材に対応付けられたテクスチャデータを内外装材に適用した場合の建築物空間のシミュレーションを行うシミュレーション部、
前記テクスチャデータが反映された建築物空間の画像を含み、選択された内外装材の確認に用いられる確認書を出力する確認書出力部
として機能させるためのプログラム。
【請求項５】
建築物の内外装材の選択に応じて、選択された内外装材を備える建築物空間のシミュレーションを選択された内外装材に対応付けられたテクスチャデータを用いて行い、
選択された内外装材が反映された建築物空間のシミュレーション画像と、選択された内外装材としての製品を示す情報とを出力する
確認書作成方法。
【発明の詳細な説明】
【技術分野】
【０００１】
本発明は、仮想空間シミュレーション装置、プログラム、及び確認書作成方法に関する。
【背景技術】
【０００２】
住宅等の建築物の実際の間取り等に応じた室内の仮想空間をコンピュータグラフィクスにより再現するにあたり、素材の質感に関する情報に基づいて内外装材の描画を行う技術が知られている（例えば、特許文献１参照）。
【先行技術文献】
【特許文献】
【０００３】
【特許文献１】特開２０１７−３３３１４号公報
【発明の概要】
【発明が解決しようとする課題】
【０００４】
上記のように建築物の空間をシミュレーションした画像を例えば施主に提示することで、施主は実物としての住宅空間を体験しなくとも、住宅がどのような雰囲気となるのかを的確に把握することができる。このような建築物の空間のシミュレーションを行うツールは、例えば住宅を販売する業者等が、客である施主への営業活動等において利用することができる。このようなことを考慮すると、建築物のシミュレーションを行うツールについて、単に建築物の空間をシミュレーションした画像を提示するに留まらず、営業活動においてさらに有効に利用されることが求められる。
【０００５】
本発明は、このような事情に鑑みてなされたもので、建築物のシミュレーションを行うツールが建築物販売等の営業活動において、有効活用されるようにすることを目的とする。
【課題を解決するための手段】
【０００６】
上述した課題を解決する本発明の一態様は、建築物の内外装材の選択に応じて、選択された内外装材に対応付けられたテクスチャデータを内外装材に適用した場合の建築物空間のシミュレーションを行うシミュレーション部と、前記テクスチャデータが反映された建築物空間の画像を含み、選択された内外装材の確認に用いられる確認書を出力する確認書出力部とを備える仮想空間シミュレーション装置である。
【０００７】
また、本発明の一態様は、コンピュータを、建築物の内外装材の選択に応じて、選択された内外装材に対応付けられたテクスチャデータを内外装材に適用した場合の建築物空間のシミュレーションを行うシミュレーション部、前記テクスチャデータが反映された建築物空間の画像を含み、選択された内外装材の確認に用いられる確認書を出力する確認書出力部として機能させるためのプログラムである。
【０００８】
本発明の一態様は、建築物の内外装材の選択に応じて、選択された内外装材を備える建築物空間のシミュレーションを選択された内外装材に対応付けられたテクスチャデータを用いて行い、選択された内外装材が反映された建築物空間のシミュレーション画像と、選択された内外装材としての製品を示す情報とを出力する確認書作成方法である。
【発明の効果】
【０００９】
以上説明したように、本発明によれば、建築物のシミュレーションを行うツールが建築物販売等の営業活動において、有効活用されるようになるという効果を有する。
【図面の簡単な説明】
【００１０】
【図１】本実施形態における住宅販売モデルの概要を示す図である。
【図２】本実施形態における住宅仮想空間画面の一例を示す図である。
【図３】本実施形態における確認書の一例を示す図である。
【図４】本実施形態における住宅仮想空間シミュレーション装置の構成例を示す図である。
【図５】本実施形態における基本テーマ情報の一例を示す図である。
【図６】本実施形態の住宅仮想空間シミュレーション装置が、住宅仮想空間画面の表示と確認書出力とに関連して実行する処理手順例を示すフローチャートである。
【図７】本実施形態の住宅仮想空間シミュレーション装置が、製品サンプル発送依頼に対応して実行する処理手順例を示すフローチャートである。
【図８】本実施形態の住宅仮想空間シミュレーション装置が、内外装材指定に対応して実行する処理手順例を示すフローチャートである。
【発明を実施するための形態】
【００１１】
［住宅販売モデルの概要］
図１は、本実施形態における住宅販売モデルの概要を示している。同図の住宅販売モデルにおいて、住宅販売業者は、施主（客）に住宅（建築物の一例）を販売する業者である。
住宅販売業者は、施主に住宅を販売する営業活動に際して、住宅仮想空間シミュレーション装置１００（仮想空間シミュレーション装置の一例）を用いる。住宅仮想空間シミュレーション装置１００は、例えば、住宅仮想空間シミュレーションのアプリケーションがインストールされたパーソナルコンピュータ等の端末であってよい。
以下の図１の説明は、同図に示される手順の番号に沿って行う。
【００１２】
住宅仮想空間シミュレーション装置１００は、販売対象の住宅内の仮想空間（住宅仮想空間）を表示する。住宅においては、各種の内外装材が用いられる。具体的に、本実施形態における住宅の「内外装材」には、以下のようなものが含まれてよい。つまり、内外装材には、壁紙、床材、天井材等の内装材が含まれてよい。また、内外装材には、外壁などの外装材、室内扉、玄関扉、襖等の建具材が含まれてよい。また、内外装材には、巾木、長押、腰壁、階段等の造作材が含まれてよい。また、内外装材には、キッチン、バス等の住設機器類が含まれてよい。また、内外装材には、外壁やルーバーなどの外装材類が含まれてよい。
このような内外装材のうちで化粧面パターンを印刷により形成するものがある。化粧面パターンは、印刷によって、例えば内外装材の表面に形成されるもので、内外装材の化粧面における色柄や光沢、凹凸などに応じた質感なども含めたパターンをいう。また化粧面パターンには、例えば木目や石目を再現したような自然柄が含まれる。また、内外装材の化粧面パターンには、布目、砂目、和紙柄等が含まれる、また、内外装材の化粧面パターンには、手描パターンやＣＧ（Computer Graphics）パターンのように意匠が施された柄等が含まれる。
また、本実施形態における内外装材の化粧面パターンの態様は特に限定されるものではないが、本実施形態における化粧面パターンには、例えば、単一色による無地や、白、黒などのモノクロームによる柄等も含まれてよい。
【００１３】
住宅仮想空間シミュレーション装置１００の操作者（オペレータ）である住宅販売業者の担当者は、表示された住宅仮想空間にて用いられている内外装材に対応させて、現物の内外装材に適用される化粧面パターンを指定する操作を行うことができる。なお、化粧面パターンの指定にあたっては、例えば内外装材を製品単位で指定（選択）するようにされる。本実施形態において、例えば化粧面パターンが適用される前の内外装材が共通であっても、適用される化粧面パターンごとに異なる製品であるとして扱われる。また、同じ用途で用いられ、かつ同じ化粧面パターンであっても、化粧面パターンが適用される前の内外装材の規格として難燃性や耐久性等の規格が異なる場合には、異なる製品として扱われる。
また、住宅仮想空間シミュレーション装置１００の操作者は、表示された住宅仮想空間における家財としての製品も指定する操作を行うことができる。家財には、カーテン、カーペット等のファブリック類が含まれてよい。また、家財には、家具、照明、弱電製品、インテリア小物類等が含まれてよい。
住宅仮想空間シミュレーション装置１００は、指定された製品を再現するように描画を行って住宅仮想空間を表示させる。即ち、住宅仮想空間シミュレーション装置１００は、指定された内外装材の化粧面パターンを再現するように内外装材を描画する。また、住宅仮想空間シミュレーション装置１００は、指定された家財を指定された位置に配置するように描画を行って、住宅仮想空間を表示させる。
即ち、本実施形態の住宅仮想空間シミュレーション装置１００は、内外装材の化粧面パターンや住宅に設置する家財についてシミュレーションを行うことができる。
このような住宅仮想空間シミュレーション装置１００は、内外装材の化粧面パターンや家財の選択によって住宅の空間がどのような雰囲気になるのかを確認するのに用いることができる。
【００１４】
例えば、施主が購入対象とする住宅において用いられる内外装材は、例えば寸法や材質等の規格が同一のものであっても、化粧面パターンについては複数種類が用意されているような場合がある。このような化粧面パターンについては、住宅に使用する内外装材の規格等が定まったうえで、施主の好みに応じて選択することができる。住宅内の内外装材の化粧面パターンの違いに応じてどの製品を選択するのかにより、住宅内の雰囲気は変わる。また、住宅に設置する家財によっても住宅の雰囲気は変わる。このため、内外装材に関してどのような化粧面パターンの製品を選択するのかは、施主にとっては、比較的重要な決定事項の１つとなる。
そこで、施主は、住宅販売業者の担当者と相談をしながら、住宅内の製品（内外装材の化粧面パターンや家財）についてどのようなものとするのかを検討する（手順１：製品検討）。このように住宅内の製品を検討する際に、住宅販売業者の担当者は、住宅仮想空間シミュレーション装置１００を用いて、適宜、内外装材としての製品や家財を選択する操作を行い、選択された内外装材の製品や家財を導入した場合の住宅内の仮想空間を表示させ、施主とともに、製品の検討を行う。
【００１５】
住宅仮想空間シミュレーション装置１００により製品の選択を反映させた住宅の仮想空間をシミュレーションさせるにあたり、いずれの内外装材に関しても特に製品が指定されておらず設定されておらず、また、家財がなにも設置されていないような状態から、製品を選択していくことは効率的ではない。
【００１６】
そこで、本実施形態の住宅仮想空間シミュレーション装置１００は、予め、基本となるテーマに対応する製品の組み合わせ（内外装材の製品及び家財）を示す情報を含む基本テーマ情報を記憶している。基本テーマ情報の構造については後述するが、例えば予め定められた住宅仮想空間のテーマごとに対応して、製品（内外装材、家財等）の情報が対応付けられた構造であってよい。
内外装材に関しては、本実施形態の基本テーマ情報であれば、住宅に使用される内外装材の識別情報が取得可能でありさえすれば、どの住宅であっても、基本テーマ情報に基づいて内外装材に化粧面パターンを適用した住宅仮想空間を描画できる。住宅仮想空間シミュレーション装置１００は、住宅仮想空間の表示にあたり、住宅の設計内容を示す住宅設計データを用いる。住宅設計データには、住宅に使用される内外装材ごとの内外装材識別情報が含まれる。このため、住宅仮想空間シミュレーション装置１００は、設計内容が異なる住宅であっても、それぞれの住宅に共通の基本テーマ情報を利用すれば、テーマに沿って同じ雰囲気の住宅仮想空間を提示できる。
【００１７】
施主と住宅販売業者の担当者とで、最初に室内空間の雰囲気を検討する際には、例えば、住宅販売業者の担当者は、住宅仮想空間シミュレーション装置１００にて、基本テーマ情報に基づく複数の住宅空間基本モデルのリストを施主に提示する。住宅空間基本モデルのリストとしては、例えば、住宅空間基本モデルのそれぞれを或る所定の視点から観察した画像を配列した態様であってよい。
施主は、提示されたリストのうちから、自分の好みやライフスタイル等に合わせて、自分に適合する住宅空間基本モデルを選択する。住宅販売業者の担当者は、住宅仮想空間シミュレーション装置１００を操作して、施主が選択した住宅空間基本モデルに応じた基本の住宅仮想空間を表示させる。施主と住宅販売業者の担当者は、表示された基本の住宅仮想空間を基に、適宜、内外装材としての製品や家財の選択を変更する。選択の変更に伴い、住宅仮想空間においては、変更後の内外装材に適用される化粧面パターンが反映されたり、変更御の家財が設置されたりする。施主と住宅販売業者の担当者は、住宅仮想空間として表示された住宅内の雰囲気を考慮しながら、具体的に検討を行っていくことができる。
【００１８】
また、住宅仮想空間シミュレーション装置１００は、住宅空間基本モデルの選択に対応して、施主の好きな色、室内形式、ライフスタイル等の、施主に対する所定のアンケート項目に対する回答を入力する操作が可能としてもよい。
住宅販売業者の担当者は、例えば施主に対してアンケート項目に応じた質問を行い、質問に対する施主からの回答に応じて、回答を入力する操作を行う。
住宅仮想空間シミュレーション装置１００は、入力された回答の内容（施主の属性の一例）に基づいて、施主に適合している基本テーマ情報を判定する。このような基本テーマ情報の判定を可能とするには、例えば基本テーマ情報ごとに、色、室内形式、ライフスタイルに対応するキーワードを設定し、設定されたキーワードを基本テーマ情報に対応付けておくようにしてよい。また、キーワードと基本テーマ情報との対応付けに関しては、例えば脳科学や感性工学、心理学等を応用した対応付けのルールに沿って定めることができる。
そして、住宅仮想空間シミュレーション装置１００は、施主に適合していると判定した基本テーマ情報を提示し、基本テーマ情報に基づく住宅仮想空間を出力する。
本実施形態において、住宅仮想空間の出力は、住宅仮想空間の画像を含む画面（住宅仮想空間画面）として表示される。また、以降の説明において、基本の住宅仮想空間の画像を含む住宅仮想空間画面については、基本住宅仮想空間画面と記載する。
このように、施主へのアンケートの回答内容に基づいて、施主に適合するとされる基本住宅仮想空間画面がはじめに表示されるようにすることで、例えば施主の好みやライフスタイル等に合った雰囲気の住宅仮想空間をデフォルトとして提示できる。このように提示された住宅仮想空間を基とすれば、施主も住宅に導入する製品（即ち、化粧面パターンが施された内外装材や家財）の検討をしやすくなる。
【００１９】
図２は、本実施形態の住宅仮想空間シミュレーション装置１００により表示される住宅仮想空間画面の一例を示している。住宅仮想空間画面は、住宅仮想空間の画像を含み、住宅仮想空間における製品（内外装材や家財）を選択する操作が可能な画面である。
【００２０】
同図の住宅仮想空間画面においては、住宅仮想空間エリアＡＲ１１と操作エリアＡＲ１２とが配置される。
住宅仮想空間エリアＡＲ１１は、住宅仮想空間を表示するエリアである。住宅仮想空間エリアＡＲ１１に対応する操作として、視点を変更する操作が可能とされている。視点変更操作によって視点が変更されると、住宅仮想空間エリアＡＲ１１においては、変更された視点から観察した状態となるように住宅仮想空間の表示が変化する。
【００２１】
操作エリアＡＲ１２は、オペレータが操作を行うエリアである。操作エリアＡＲ１２においては、操作に応じて適宜、必要な操作画像が表示される。なお、操作エリアＡＲ１２は、住宅仮想空間エリアＡＲ１１上の一部に重畳するように表示されてよい。この場合において、操作エリアＡＲ１２に所定の透明度を設定することで、操作エリアＡＲ１２の下に位置する住宅仮想空間エリアＡＲ１１の部分が透けてみえるような表示の態様としてよい。
同図の操作エリアＡＲ１２においては、製品分類選択操作エリアＡＲ１２１及び製品選択操作エリアＡＲ１２２が配置された状態が示されている。
【００２２】
製品分類選択操作エリアＡＲ１２１は、住宅仮想空間にて表示される住宅の製品のうちから、変更対象とする製品分類を選択（指定）する際に操作されるエリアである。例えば製品分類選択操作エリアＡＲ１２１に対する所定操作に応じて、床、壁、天井等の内外装材の分類、あるいはソファ、テーブル、ベッド等の家財の分類を選択する製品分類選択画面が表示される。オペレータは、製品分類選択画面に対する操作によって、変更対象とする製品の分類を選択する。
【００２３】
製品選択操作エリアＡＲ１２２は、現在において変更対象として選択されている製品分類のうちから製品を選択する操作が行われるエリアである。
同図の製品選択操作エリアＡＲ１２２においては、アイコンＩｃｎ１〜Ｉｃｎ８が配置された例が示されている。アイコンＩｃｎ１〜Ｉｃｎ８について特に区別しない場合にはアイコンＩｃｎと記載する。
アイコンＩｃｎ１〜Ｉｃｎ８は、それぞれ、現在において変更対象として選択されている製品分類のもとで選択可能な製品を示す。例えば選択中の製品分類が内外装材であれば、アイコンＩｃｎ１〜Ｉｃｎ８には、該当の製品分類における内外装材に対応する選択肢となる化粧面パターンの画像が表示されている。また、例えば選択中の製品分類が家財におけるソファであれば、アイコンＩｃｎ１〜Ｉｃｎ８には、選択肢となるソファの画像が表示されている。
なお、選択可能な製品が多数であるような場合には、例えばオペレータが、製品選択操作エリアＡＲ１２２に対して横方向または縦方向のスクロールやページ送り等の操作を行うことで、表示されるアイコンの組を変更できるようにしてよい。
オペレータは、製品選択操作エリアＡＲ１２２にて配置されているアイコンＩｃｎのうちから、１つのアイコンＩｃｎを選択する操作を行うことができる。同図の例では、アイコンＩｃｎは、選択されていない状態のもとでは、Ｉｃｎ１、Ｉｃｎ２、Ｉｃｎ４〜Ｉｃｎ８等として示すように、菱形となる向きで配置されている。一方、アイコンＩｃｎは、選択された状態にある場合には、アイコンＩｃｎ３として示すように、正方形となる向きで配置されるように変化する。また、選択された状態にあるアイコンＩｃｎは、所定の態様による強調表示が行われる。また、アイコンＩｃｎに対する操作によって、製品として家財が選択された場合には、例えば図示は省略するが家財の配置を指定する画面が表示され、当該画面に対して家財の配置を指定する操作を行うことができる。
【００２４】
製品選択操作エリアＡＲ１２２に対する操作によって選択された製品が家財である場合には、住宅仮想空間エリアＡＲ１１にて表示される住宅仮想空間において、選択された家財が配置されるように表示が行われる。
【００２５】
また、製品選択操作エリアＡＲ１２２に対する操作によって選択された製品が、内外装材の化粧面パターンである場合、住宅仮想空間エリアＡＲ１１にて表示される住宅仮想空間においては、対応の内外装材の部分について、製品選択操作エリアＡＲ１２２にて選択されているアイコンＩｃｎに対応する化粧面パターンで表示が行われる。
例えば、同図の状態から、アイコンＩｃｎ３以外の他のアイコンＩｃｎを選択する操作が行われると、住宅仮想空間において選択された内外装材の部分は、選択されたアイコンＩｃｎに対応する化粧面パターンに変化する。
このように、本実施形態の住宅仮想空間シミュレーション装置１００は、住宅仮想空間における内外装材の化粧面パターンを容易に変更することができる。これにより、例えば施主や住宅販売業者の担当者等は、住宅における内外装材の変更に応じた住宅空間の雰囲気を手軽に確認できる。
【００２６】
そのうえで、本実施形態においては、上記のような内外装材の化粧面パターンの描画にあたり、実物の内外装材に印刷を行うのに用いられる印刷データを利用する。
印刷データは、例えば木目の化粧面パターンを例に挙げると、実物の内外装材に印刷されたのにも関わらず、実際の木材の木目と見分けることができない程度に高品位である。
このため、内外装材の化粧面パターンの描画に印刷データを利用することで、仮想空間における内外装材の化粧面パターンの現実感を向上させることができる。また、本実施形態では、実物の内外装材の印刷に用いる印刷データを、仮想空間における内外装材の描画に流用することになる。このため、描画データを新たに作成する手間をかけることなく、内外装材の化粧面パターンの描画を高品位で行える。
【００２７】
また、印刷データには、印刷により形成される化粧面パターンの質感を表現するための光沢、凹凸等に関する質感情報が含まれている。住宅仮想空間シミュレーション装置１００は、内外装材の描画を行うにあたり、印刷データに含まれる質感情報を利用して、例えば内外装材の化粧面パターンに入射した光の反射等が反映された内外装材の見え方を再現して描画することができる。
【００２８】
本実施形態においては、上記のように実物の内外装材に用いる印刷データを、住宅仮想空間における内外装材の描画に利用する。本実施形態において、或る１つの製品識別子に対応する製品としての内外装材の化粧面パターンが反映されるように住宅仮想空間において内外装材を描画するにあたっては、例えば以下のような態様を採ることができる。
１つには、印刷データに対応する単位印刷領域の一部領域に対応する化粧面パターンを住宅仮想空間における内外装材部分に描画することができる。また、もう１つには、複数の単位印刷領域ＰＳを配列させて得られる化粧面パターンを住宅仮想空間における内外装材部分に描画することができる。また、もう１つには、印刷データに基づく所定の寸法に対応するタイル画像を生成し、住宅仮想空間における内外装材部分に対してタイル画像を配列させるようにして描画することができる。
【００２９】
説明を図１に戻す。
上記のようにして住宅仮想空間シミュレーション装置１００を用いて検討を行うことで、最終的には、施主により住宅に導入する製品（化粧面パターンを適用した内外装材や家財）が決定される。
住宅販売業者の担当者は、製品が決定されると、決定された製品について、例えば、住宅販売業者と施主との間で確認するための書面である確認書を作成し、施主に渡す（手順２：確認書発行）。本実施形態において、住宅販売業者の担当者は、住宅仮想空間シミュレーション装置１００を用いて確認書を出力することにより書面としての確認書を作成する。
【００３０】
図３は、住宅仮想空間シミュレーション装置１００を用いて印刷された確認書の一例を示している。同図の確認書においては、仮想空間キャプチャ画像エリアＡＲ２１、製品エリアＡＲ２２、見積もり欄エリアＡＲ２３、及び署名欄ＡＲ２４が含まれる。
【００３１】
仮想空間キャプチャ画像エリアＡＲ２１には、住宅に導入する製品が決定された段階での住宅仮想空間のキャプチャ画像が印刷される。このような住宅仮想空間のキャプチャ画像は、例えば、住宅仮想空間シミュレーション装置１００のオペレータが、住宅仮想空間を観察する視点を指定したうえで画像のキャプチャを指示する操作を行うことにより得られるようにされてよい。住宅仮想空間のキャプチャ画像は、住宅仮想空間シミュレーション装置１００が、確認書への印刷を行うにあたって、予め定められた視点に応じた住宅仮想空間の画像をキャプチャすることにより得られるようにされてもよい。
具体的には、同図の仮想空間キャプチャ画像エリアＡＲ２１にて例示されるように、住宅仮想空間シミュレーション装置１００が、部屋ごとに人の目線の高さに応じた視点によるキャプチャ画像を得るようにされてよい。また、住宅仮想空間シミュレーション装置１００は、例えば天井の内外装材を省略して、１つの階の間取り全体（一部の間取り部分でもよい）を俯瞰する視点によるキャプチャ画像を得るようにされてよい。このようなキャプチャ画像では、例えば１つの階の各部屋における天井以外の内外装材の化粧面パターンや、各部屋に配置する家財を確認できる。
【００３２】
製品エリアＡＲ２２には、導入が決定された製品ごとに対応する画像が印刷される。製品エリアＡＲ２２においては、導入が決定された製品ごとに対応する単位製品エリアＡＲ２２１が配置されている。単位製品エリアＡＲ２２１には、対応の製品の名称等とともに、決定された製品が印刷されている。
単位製品エリアＡＲ２２１に印刷される製品は、住宅への導入が決定された内外装材や家財等である。印刷対象の製品が内外装材である場合、単位製品エリアＡＲ２２１には、対応の製品に対応する化粧面パターンが印刷される。
なお、化粧面パターンによっては、印刷データには凹凸等を表現するデータが含まれるが、このような凹凸を用紙にて再現することが難しい場合には、凹凸等を表現するデータについては、確認書への印刷に用いないようにされてよい。例えば、印刷データは、色柄や凹凸等の再現のためのレイヤ構造での印刷に対応している。確認書への印刷にあたっては、印刷データにおいて、再現可能な色柄等に応じたレイヤのデータを選別して利用するようにされてよい。
上記のように内外装材の化粧面パターンが印刷により表されることで、内外装材としての製品の質感を、実物に近い状態で確認することができる。また、印刷対象の製品が家財である場合、例えば、単位製品エリアＡＲ２２１のサイズにできるだけ大きく収まるようにして家財を配置させた画像が印刷される。これにより、個々の家財の細部を確認できる。
【００３３】
見積もり欄エリアＡＲ２３においては、決定された製品に応じた住宅の見積もり金額が印刷される。
署名欄ＡＲ２４は、確認書において示される製品の決定内容に施主が同意した場合に、署名、捺印を行う欄である。
【００３４】
施主は、このような確認書を見ることで、自分が決定した製品として内外装材の化粧面パターンや家財がどのようなものであり、住宅空間の雰囲気がどのようなものとなるのかを手元で把握できる。施主は、確認書において示される製品の決定内容で問題のないことを確認すると、署名欄ＡＲ２４に、署名、捺印を行う。確認書への署名、捺印によって、内外装材や家財等の製品についての注文内容が確定される（手順３：製品注文内容確定）。施主は、署名欄ＡＲ２４に署名、捺印を行った確認書を住宅販売業者の担当者に渡す。
【００３５】
なお、確認書の控えとなる書面を印刷して施主に渡しておいてもよい。これにより、確認書を住宅販売業者の担当者に渡した後においても、施主は、控えとなる書面における仮想空間キャプチャ画像エリアＡＲ２１や製品エリアＡＲ２２により、自分が決定した内外装材の質感と、住宅空間の雰囲気を確認できる。
【００３６】
なお、確認書の様式については、図３に示す態様に限定されない。同図では、仮想空間キャプチャ画像エリアＡＲ２１、製品エリアＡＲ２２、見積もり欄エリアＡＲ２３、及び署名欄ＡＲ２４の各エリアを１枚の用紙に納めた例が示されている。しかし、確認書は、例えば複数枚（複数ページ）の用紙により、仮想空間キャプチャ画像エリアＡＲ２１、製品エリアＡＲ２２、見積もり欄エリアＡＲ２３、及び署名欄ＡＲ２４等が、適宜、所定のページに割り当てられるようにして印刷されてよい。この場合において、例えば見積もり欄エリアＡＲ２３については、総額だけではなく、製品ごとの価格等を含む総額の内訳も示されるようにしてよい。
また、確認書は、複数のページで構成されてよい。例えば、第１ページ（表紙）において、対象の住宅に対応する物件名とともに、署名欄ＡＲ２４が印刷される。第２ページ以降において、例えば、住宅の間取りの俯瞰図のページ、間取り図のページ、部屋ごとの仮想空間キャプチャ画像エリアＡＲ２１や製品エリアＡＲ２２をまとめたページ、決定された家財のカタログのページ、住宅の施主への引き渡しまでのプロセスの説明書のページ等が印刷されてよい。
【００３７】
説明を図１に戻す。住宅販売業者の担当者が署名、捺印の行われた確認書を受け取ったことに応じて、住宅販売業者が施主からの内外装材や家財等の製品の注文を受け付けたことになる。
そのうえで、本実施形態の住宅販売モデルのもとでは、製品の注文を確定させた施主に対する住宅販売業者からのサービスとして、化粧面パターンを施した内外装材の製品サンプルを郵送すること（製品サンプル郵送サービス）が行われる。
郵送される製品サンプルの形式としては、例えば、実物の内外装材に印刷するのと同じ化粧面パターンを実際に台紙等に印刷したサンプルシートなどであってよい。また、このようなサンプルシートを製本化したカタログのような形式であってもよい。
【００３８】
製品サンプル郵送サービスにあたり、住宅販売業者の担当者は、署名、捺印の行われた確認書を受け取った後において、内外装材提供業者に、製品サンプル発送依頼を行う（手順４：製品サンプル発送依頼）。内外装材提供業者は、内外装材を製造し販売する業者である。
住宅仮想空間シミュレーション装置１００は、例えばネットワーク経由で製品サンプルの発送依頼を行う機能を有する。住宅仮想空間シミュレーション装置１００のオペレータは、製品サンプル発送依頼を行うにあたり、製品サンプル郵送サービスの対象の施主を指定する操作を行ったうえで、製品サンプルの発送依頼を指示する操作（製品サンプル発送依頼指示操作）を行う。このような操作に応じて、住宅仮想空間シミュレーション装置１００は、指定された施主に対応する製品サンプル発送依頼情報を生成する。製品サンプル発送依頼情報は、指定された施主に対応する郵送先の情報（郵送先情報）と、住宅に使用される内外装材としての製品を示す情報（決定製品情報）とを含む。
住宅仮想空間シミュレーション装置１００は、ネットワーク経由で、内外装材提供業者が有するネットワーク端末装置に製品サンプル発送依頼情報を送信する。
【００３９】
内外装材提供業者は、ネットワーク端末装置にて受信された製品サンプル発送依頼情報における決定製品情報の内容を確認し、決定製品情報によって示される製品としての内外装材ごとの化粧面パターンを印刷したサンプルシートを作成する。
サンプルシートの作成にあたり、内外装材提供業者は、内外装材に印刷する際に用いるのと同じ印刷データを利用して、サンプルシートに化粧面パターンの印刷を行う。つまり、サンプルシートの作成と、住宅仮想空間シミュレーション装置１００における仮想空間画面での内外装材の描画は、同じ印刷データを利用して行われる。
内外装材提供業者は、作成したサンプルシートを、製品サンプル発送依頼情報における郵送先情報が示す郵送先に郵送する（手順５：製品サンプル発送）。なお、同図では、内外装材提供業者から施主に製品サンプルを郵送しているが、例えば内外装材提供業者が、一旦、住宅販売業者に製品サンプルを郵送、輸送等により渡し、内外装材提供業者から施主に製品サンプルを郵送、輸送あるいは手渡し等により渡すようにしてもよい。
製品サンプルを受け取った施主は、自分が決定した内外装材としての製品の化粧面パターンの実物を確認することができる。
【００４０】
また、住宅販売業者は、製品である内外装材の注文内容が確定されたことに応じて、施工業者に、住宅で使用する内外装材を指定する（手順６：内外装材指定）。
住宅仮想空間シミュレーション装置１００は、ネットワーク経由で内外装材指定を行う機能を有する。住宅仮想空間シミュレーション装置１００のオペレータは、内外装材指定の対象となる住宅を指定したうえで、内外装材指定の実行を指示する操作（内外装材指定指示操作）を行う。
内外装材指定指示操作に応じて、住宅仮想空間シミュレーション装置１００は、指定された住宅に対応する内外装材指定情報を生成する。内外装材指定情報は、指定された住宅を示す情報と、住宅に使用する内外装材ごとのメーカ、品番、適用される化粧面パターン等を示す指定内外装材情報を含む。なお、同じ規格の内外装材について、化粧面パターンに応じて異なる品番が付与される場合には、指定内外装材情報における内外装材の品番によって化粧面パターンも示されてよい。
住宅仮想空間シミュレーション装置１００は、ネットワーク経由で、施工業者が有するネットワーク端末装置に内外装材指定情報を送信する。
【００４１】
施工業者は、ネットワーク端末装置にて受信された内外装材指定情報により指定される内外装材を内外装材提供業者に注文する。内外装材の注文に際しては、注文対象の内外装材ごとの化粧面パターンも指定される。内外装材提供業者は、施工業者から受けた注文に応じて、注文された内外装材を施工業者に納入する（手順７：内外装材受発注）。なお、例えば施工業者と内外装材提供業者との間での納期などの情報が住宅販売業者でも管理できるようにされてよい。
【００４２】
また、同図においては示されていないが、住宅販売業者は、注文が確定された家財についても、対応の業者に注文してよい。
【００４３】
［住宅仮想空間シミュレーション装置の構成例］
図４は、本実施形態の住宅仮想空間シミュレーション装置１００の構成例を示している。同図の住宅仮想空間シミュレーション装置１００は、通信部１０１、データインターフェース部１０２、制御部１０３、記憶部１０４、操作部１０５、及び表示部１０６を備える。
【００４４】
通信部１０１は、ネットワーク経由で通信を行う。通信部１０１によるネットワーク経由の通信は、有線でも無線でもよい。また、通信部１０１は、例えば所定の通信方式に対応する近距離無線通信を行うようにされてもよい。
【００４５】
データインターフェース部１０２は、所定の規格に対応するデータインターフェース経由で、外部デバイスとデータの送受信を行う。
【００４６】
制御部１０３は、住宅仮想空間シミュレーション装置１００における各種の制御を実行する。制御部１０３としての機能は、住宅仮想空間シミュレーション装置１００にて備えられるＣＰＵ（Central Processing Unit）がプログラムを実行することにより実現される。
同図の制御部１０３は、シミュレーション部１３１、見積もり部１３２、確認書出力部１３３、製品サンプル発送依頼部１３４、及び内外装材指定部１３５を備える。
【００４７】
シミュレーション部１３１は、住宅に導入する製品の選択に応じて、選択された内外装材としての製品に応じた化粧面パターンを適用したり、選択された家財を配置したりした場合の住宅空間のシミュレーションを行う。即ち、シミュレーション部１３１は、図２に例示した住宅仮想空間画面の表示に関連する処理を実行する。シミュレーション部１３１は、表示部１０６に住宅仮想空間画面を表示させる。
シミュレーション部１３１は、住宅仮想空間画面に対して行われる、製品選択の操作を受け付ける。シミュレーション部１３１は、選択された製品が反映されるように住宅仮想空間エリアＡＲ１１における住宅仮想空間を描画する。
【００４８】
見積もり部１３２は、選択された製品を導入した場合の費用の見積もり処理を実行する。
確認書出力部１３３は、確認書を出力する。確認書は、選択された製品（内外装材や家財）が反映された建築物空間の画像を含み、選択された製品の確認に用いられる書面である。確認書出力部１３３は、用紙への印刷により確認書を出力する。
なお、確認書出力部１３３は、例えばネットワーク上で用いられる電子化された書面として確認書を出力するなど、印刷以外によって確認書の出力を行ってよい。
【００４９】
製品サンプル発送依頼部１３４は、図１の手順４として示した製品サンプル発送依頼に対応する処理を実行する。
内外装材指定部１３５は、図１の手順６として示した内外装材指定に対応する処理を実行する。
【００５０】
記憶部１０４は、制御部１０３が利用する各種の情報を記憶する。同図の記憶部１０４は、施主情報記憶部１４１、住宅設計データ記憶部１４２、印刷データ記憶部１４３、基本テーマ情報記憶部１４４、及び製品選択情報記憶部１４５を備える。
【００５１】
施主情報記憶部１４１は、施主ごとに関する情報（施主情報）を記憶する。施主情報には、施主の名前、連絡先（住所、電話番号等）の情報が含まれる。
【００５２】
住宅設計データ記憶部１４２は、住宅の設計内容を示す住宅設計データを記憶する。住宅設計データ記憶部１４２に記憶される住宅設計データは、例えば住宅販売業者が販売対象とする住宅についてのものである。
【００５３】
印刷データ記憶部１４３は、印刷データを記憶する。住宅設計データ記憶部１４２が記憶する住宅設計データには、例えば住宅の構造において用いられる内外装材についての規格や製品分類等を示す内外装材利用情報が含まれる。印刷データ記憶部１４３は、住宅設計データ記憶部１４２が記憶する住宅設計データに含まれる内外装材利用情報が示す内外装材への印刷に利用可能な印刷データを記憶する。
【００５４】
シミュレーション部１３１は、内外装材としての製品の指定に応じて、指定された内外装材の印刷に利用される印刷データ（テクスチャデータの一例）を取得する。即ち、本実施形態においては、住宅仮想空間における内外装材の化粧面パターンを描画するにあたり、実物の内外装材の化粧面パターンを印刷する印刷データが利用される。シミュレーション部１３１は、記憶部１０４における印刷データ記憶部１４３から印刷データを取得する。
シミュレーション部１３１は、住宅仮想空間を描画するにあたり、住宅仮想空間における内外装材について、シミュレーション部１３１により取得された印刷データを利用して描画する。
【００５５】
基本テーマ情報記憶部１４４は、基本テーマ情報を記憶する。基本テーマ情報は、テーマごとに予め定められた、基本となる製品の導入パターンを示す情報である。基本テーマ情報記憶部１４４は、例えば、基本テーマごとの基本テーマ情報を含む基本テーマ情報テーブルを記憶する。
図５は、基本テーマ情報テーブルの一例を示している。基本テーマ情報テーブルにおける１行（１レコード）が１つの基本テーマに対応する基本テーマ情報である。１つの基本テーマに対応する基本テーマ情報は、基本テーマ情報識別子に対して、テーマ名とテーマ構成情報とを対応付けた構造である。
基本テーマ情報識別子は、基本テーマを一意に示す識別子である。テーマ名は対応の基本テーマに付与された名称である。テーマ構成情報は、対応の基本テーマにおいて導入されている製品を示す情報である。
【００５６】
テーマ構成情報は、同図に示されるように、内外装材情報と家財情報とを含む。
内外装材情報は、内外装材の分類ごとに、内外装材識別子と製品識別子と、印刷データ識別子とが対応付けられた構造を有する。このような内外装材情報の構造によって、１つの基本テーマに対応した内外装材の分類ごとの製品が決まる。
家財情報は、家財の分類ごとに、家財としての製品を示す製品識別子が対応付けられた構造を有する。このような構造によって、１つの基本テーマに対応した家財の分類ごとの製品が決まる。
【００５７】
シミュレーション部１３１は、基本テーマ情報を利用して、購入対象の住宅についての住宅空間基本モデルを生成し、生成された住宅空間基本モデルのリストを表示することができる。また、シミュレーション部１３１は、住宅空間基本モデルのリストから選択された住宅空間基本モデルに対応する住宅仮想空間を住宅仮想空間エリアＡＲ１１に描画した住宅仮想空間画面を表示することができる。
【００５８】
説明を図４に戻す。製品選択情報記憶部１４５は、施主ごとに対応して、住宅仮想空間画面に対する操作によって選択された、住宅に導入される製品を示す情報である。
【００５９】
価格情報記憶部１４６は、製品ごとの価格を示す価格情報を記憶する。例えば、内外装材に関しては、同じ規格の内外装材であっても、適用される化粧面パターンにより異なる製品として扱われることで、価格が異なる場合がある。
【００６０】
操作部１０５は、住宅仮想空間シミュレーション装置１００が備える操作デバイスを一括して示す。操作部１０５には、例えばマウス、キーボード、ペンタブレット等のように、住宅仮想空間シミュレーション装置１００に接続される操作デバイスが含まれてもよい。また、住宅仮想空間シミュレーション装置１００がタッチパネルを備える場合には、タッチパネルも操作部１０５に含まれる。
【００６１】
表示部１０６は、制御部１０３の制御に応じて画像を表示する。表示部１０６に対応する表示デバイスは、住宅仮想空間シミュレーション装置１００に固定的に備えられるものであってもよいし、住宅仮想空間シミュレーション装置１００に接続可能な外部の表示デバイス等であってもよい。
【００６２】
また、同図においては、印刷装置２００が示されている。印刷装置２００は、データインターフェース部１０２と接続されている。印刷装置２００は、制御部１０３の制御に応じて用紙に印刷を行う。本実施形態において、印刷装置２００は、確認書出力部１３３の制御に応じて、確認書を印刷する。データインターフェース部１０２による住宅仮想空間シミュレーション装置１００と印刷装置２００との接続は、無線であってもよいし有線であってもよい。
また、印刷装置２００に代えて、住宅仮想空間シミュレーション装置１００が印刷機能を有する印刷部を備える構成とされてもよい。
【００６３】
［処理手順例］
図６のフローチャートを参照して、本実施形態の住宅仮想空間シミュレーション装置１００が、住宅仮想空間画面の表示と確認書出力とに関連して実行する処理手順例について説明する。また、同図の説明にあっては、施主に対するアンケートの回答の入力に応じて、住宅仮想空間シミュレーション装置１００が基本住宅仮想空間画面を表示するようにされた場合を例に挙げる。
【００６４】
ステップＳ１０１：住宅販売業者の担当者は、施主に対して行った所定のアンケート項目に対する回答を、住宅仮想空間シミュレーション装置１００に入力する操作を行う。住宅仮想空間シミュレーション装置１００において、シミュレーション部１３１は、操作に応じて、回答の入力を受け付ける。
【００６５】
ステップＳ１０２：そのうえで、住宅販売業者の担当者は、住宅仮想空間シミュレーション装置１００に対して、入力したアンケートの回答に適合する基本住宅仮想空間画面の表示を指示する操作を行う。
基本住宅仮想空間画面の表示を指示する操作に応じて、住宅仮想空間シミュレーション装置１００は、以下の処理を実行する。つまり、住宅仮想空間シミュレーション装置１００は、基本テーマ情報記憶部１４４に記憶される基本テーマ情報のうちから、ステップＳ１０１により入力を受け付けたアンケートの回答の内容に最も適合する基本テーマ情報がいずれであるのかについて判定する。住宅仮想空間シミュレーション装置１００は、例えば、基本テーマ情報に予め対応付けられたキーワードと、ステップＳ１０１にて入力された回答の内容との一致度に基づいて、最も適合する基本テーマ情報がいずれであるのかを判定してよい。
ステップＳ１０３：シミュレーション部１３１は、ステップＳ１０２にて判定された基本テーマ情報に基づく基本住宅仮想空間画面を表示部１０６に表示させる。
【００６６】
なお、前述のように、ステップＳ１０１、Ｓ１０２に代えて、前述のように、予め用意された基本テーマ情報に基づく基本住宅仮想空間の候補を提示し、提示された基本住宅仮想空間のうちから、住宅に導入する製品の検討に用いる基本住宅仮想空間が選択されるようにしてもよい。この場合、ステップＳ１０３によっては、操作により候補のうちから選択された基本住宅仮想空間の基本住宅仮想空間画面が表示される。
【００６７】
ステップＳ１０４：ステップＳ１０３以降において、住宅仮想空間画面が表示された状態のもとでは、製品（内外装材または家財）を選択する操作を行うことで、住宅仮想空間画面における内外装材や家財を変更することができる。
シミュレーション部１３１は、製品を選択する操作が行われると、操作による製品の選択が住宅仮想空間エリアＡＲ１１において反映されるように描画を行う（製品選択対応処理）。また、シミュレーション部１３１は、製品選択対応処理として、操作により選択された製品が反映されるように、製品選択情報記憶部１４５に記憶される製品選択情報を更新する。この際、シミュレーション部１３１は、内外装材については、選択された内外装材としての製品に対応する化粧面パターン識別子に対応付けられた印刷データを利用して化粧面パターンの描画を行う。
ステップＳ１０３により基本住宅仮想空間画面が表示された後において、はじめてステップＳ１０４による製品選択対応処理が実行された場合、基本住宅仮想空間画面から住宅仮想空間エリアＡＲ１１に変更が与えられた住宅仮想空間画面となる。
住宅仮想空間画面が表示されている状態のもとでは、製品を選択する操作は何回でも行える。シミュレーション部１３１は、製品を選択する操作が行われる都度、ステップＳ１０４による製品選択対応処理を実行する。
【００６８】
なお、住宅仮想空間シミュレーションのアプリケーションは、ステップＳ１０５以降の確認書の発行に関連する処理が行われる前の段階で終了されてもよい。このように確認書の発行に関連する処理が行われる前の段階で住宅仮想空間シミュレーションのアプリケーションが終了された段階では、終了段階での製品の選択状態を示す製品選択情報が製品選択情報記憶部１４５にて記憶されていることになる。このように製品選択情報が記憶されている状態のもとでは、次回の住宅仮想空間シミュレーションのアプリケーションが起動された際には、ラストメモリ情報としての製品選択情報に基づいて、前回の終了時と同様の製品による住宅仮想空間画面を表示させることができる。
【００６９】
ステップＳ１０５：前述のように、これまでに検討した製品について施主による決定の判断が為されると、図１の手順２として説明したように、住宅販売業者の担当者は、住宅仮想空間シミュレーション装置１００を操作して、確認書を発行する。住宅仮想空間シミュレーション装置１００は、確認書の発行を指示する操作（確認書発行指示操作）が行われたことに応じて、確認書発行指示操作を受け付ける。
【００７０】
ステップＳ１０６：住宅仮想空間シミュレーション装置１００は、確認書発行指示操作を受け付けると、以下のように確認書発行のための処理を実行する。例えば、まず住宅仮想空間シミュレーション装置１００の確認書出力部１３３は、現在の製品の選択が反映された住宅仮想空間のキャプチャ画像を取得する。
【００７１】
ステップＳ１０７：また、確認書出力部１３３は、現在の製品の選択が示される製品選択情報を利用して、製品エリアＡＲ２２の画像（製品エリア画像）を生成する。ステップＳ１０７の処理に際して、確認書出力部１３３は、製品選択情報を利用して、住宅に使用される内外装材ごとに対応する単位製品エリアＡＲ２２１の画像を生成する。単位製品エリアＡＲ２２１の画像の生成にあたり、内外装材の化粧面パターンについては、印刷データ記憶部１４３に記憶されている印刷データのうちから該当の化粧面パターンに対応付けられた印刷データのうちで、確認書としての用紙に印刷可能なレイヤのデータを利用して化粧面パターンの画像部分の描画を行う。
【００７２】
ステップＳ１０８：また、見積もり部１３２は、選択された製品を導入した場合の住宅についての費用の見積もりを実行する。見積もり部１３２は、費用の見積もりにあたり、現在の製品の選択が示される製品選択情報と、価格情報記憶部１４６が記憶する価格情報を利用する。
【００７３】
ステップＳ１０９：確認書出力部１３３は、印刷装置２００にて確認書が印刷されるように制御を実行する。この際、確認書出力部１３３は、ステップＳ１０６にて取得した仮想空間画面のキャプチャ画像が仮想空間キャプチャ画像エリアＡＲ２１として印刷されるように印刷データを生成する。また、確認書出力部１３３は、ステップＳ１０７にて生成した製品エリア画像が製品エリアＡＲ２２として印刷されるように印刷データを生成する。また、確認書出力部１３３は、ステップＳ１０８により得られた費用の見積もりが見積もり欄エリアＡＲ２３にて印刷されるように印刷データを生成する。また、確認書出力部１３３は、施主情報記憶部１４１に記憶される施主情報を用いて、署名欄ＡＲ２４の部分が印刷されるように印刷データを生成する。
【００７４】
このように、本実施形態においては、住宅仮想空間シミュレーション装置１００により、住宅仮想空間において、化粧面パターンが施された内外装材としての製品や家財等を変更しながら、住宅に導入する製品を検討できる。そして、製品が決定されたことに応じて、住宅仮想空間シミュレーション装置１００により確認書を印刷し、住宅販売業者から施主に渡すことができる。これにより、住宅に導入する製品が決定されて後において、施主から内外装材等の注文内容が確定されるまでの過程を円滑に進めていくことが可能となる。即ち、本実施形態においては、住宅仮想空間シミュレーション装置１００により住宅仮想空間を提示するに留まらず、確認書を出力するようにされていることで、住宅のシミュレーションを行うツールである住宅仮想空間シミュレーション装置１００を、例えば住宅販売等の営業活動において有効に活用することが可能になる。
【００７５】
次に、図７のフローチャートを参照して、住宅仮想空間シミュレーション装置１００が、図１の手順４に対応する製品サンプル発送依頼に対応して実行する処理手順例について説明する。
ステップＳ２０１：図１の手順４として説明したように、住宅販売業者の担当者は、内外装材提供業者に製品サンプル発送依頼を行うにあたり、住宅仮想空間シミュレーション装置１００に対して製品サンプル発送依頼指示操作を行う。
住宅仮想空間シミュレーション装置１００の製品サンプル発送依頼部１３４は、住宅仮想空間シミュレーション装置１００に対して行われた製品サンプル発送依頼指示操作を受け付ける。
【００７６】
ステップＳ２０２：ステップＳ２０１にて製品サンプル発送依頼指示操作が受け付けられたことに応じて、製品サンプル発送依頼部１３４は、製品サンプル発送依頼指示操作に際して指定された施主の施主情報を、施主情報記憶部１４１から取得する。
ステップＳ２０３：また、製品サンプル発送依頼部１３４は、製品サンプル発送依頼指示操作に際して指定された施主に対応する製品選択情報を、製品選択情報記憶部１４５から取得する。なお、ステップＳ２０３にて製品選択情報を取得するにあたり、製品サンプル発送依頼部１３４は、家財についての選択を示す情報は除外してもよい。
【００７７】
ステップＳ２０４：製品サンプル発送依頼部１３４は、内外装材提供業者のネットワーク端末装置に、製品サンプル発送依頼を送信する。ステップＳ２０４により送信される製品サンプル発送依頼には、ステップＳ２０２により取得された施主情報が示す施主の氏名や住所等が反映された郵送先情報と、ステップＳ２０３により取得された製品選択情報の内容が反映された決定製品情報とが含まれる。
【００７８】
次に、図８のフローチャートを参照して、住宅仮想空間シミュレーション装置１００が、図１の手順６に対応する内外装材指定に対応して実行する処理手順例について説明する。
ステップＳ３０１：図１の手順６として説明したように、住宅販売業者の担当者は、施工業者に内外装材指定を行うにあたり、住宅仮想空間シミュレーション装置１００に対して内外装材指定指示操作を行う。
住宅仮想空間シミュレーション装置１００の内外装材指定部１３５は、住宅仮想空間シミュレーション装置１００に対して行われた内外装材指定指示操作を受け付ける。
【００７９】
ステップＳ３０２：ステップＳ３０１にて内外装材指定指示操作が受け付けられたことに応じて、内外装材指定部１３５は、内外装材指定指示操作に際して指定された施主もしくは住宅に対応付けられた製品選択情報を製品選択情報記憶部１４５から取得する。なお、ステップＳ３０２にて製品選択情報を取得するにあたり、製品サンプル発送依頼部１３４は、家財についての選択を示す情報は除外してもよい。
【００８０】
ステップＳ３０３：内外装材指定部１３５は、施工業者のネットワーク端末装置に、内外装材指定情報を送信する。ステップＳ３０３により送信される内外装材指定情報には、内外装材指定指示操作に際して指定された住宅の情報と、ステップＳ３０２により取得された製品選択情報とが含まれる。
【００８１】
なお、図１の手順４、手順５に対応する製品サンプル郵送サービスについては、例えば、手順３にて内外装材の注文内容が確定される前の段階にて、施主に向けて行われるようにされてよい。この場合、施主は、郵送された製品サンプルにより、内外装材の実際の色味や質感を確認したうえで、内外装材の化粧面パターンについての検討を行える。
なお、確認書の発行に際して得られる費用の見積もり処理の結果は、確認書への印刷以外にも利用されてよい。例えば、住宅販売業者が施主ごとの見積もり金額の管理するにあたって、確認書の発行に際して得られる費用の見積もり結果を利用してもよい。
なお、本実施形態における仮想空間シミュレーションの対象は、例えば商業施設等のように、住宅以外の建築物であってもよい。
【００８２】
なお、住宅仮想空間シミュレーション装置１００が、仮想空間画面での内外装材の化粧面パターンの描画や、確認書への化粧面パターンの印刷に利用するデータ（テクスチャデータ）としては、実物の内外装材への化粧面パターンの印刷に利用するのと同じ印刷データ以外であってもよい。例えば、仮想空間画面での内外装材の化粧面パターンの描画向けに上記の印刷データに基づいて作成したような描画用データであってもよい。
【００８３】
なお、上述の住宅仮想空間シミュレーション装置１００としての機能を実現するためのプログラムをコンピュータ読み取り可能な記録媒体に記録して、この記録媒体に記録されたプログラムをコンピュータシステムに読み込ませ、実行することにより上述の住宅仮想空間シミュレーション装置１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００８４】
１００  住宅仮想空間シミュレーション装置、１０１  通信部、１０２  データインターフェース部、１０３  制御部、１０４  記憶部、１０５  操作部、１０６  表示部、１３１  シミュレーション部、１３２  見積もり部、１３３  確認書出力部、１３４  製品サンプル発送依頼部、１３５  内外装材指定部、１４１  施主情報記憶部、１４２  住宅設計データ記憶部、１４３  印刷データ記憶部、１４４  基本テーマ情報記憶部、１４５  製品選択情報記憶部、１４６  価格情報記憶部、２００  印刷装置
【図１】
2019144791.tif 000003
【図２】
2019144791.tif 000004
【図３】
2019144791.tif 000005
【図４】
2019144791.tif 000006
【図５】
2019144791.tif 000007
【図６】
2019144791.tif 000008
【図７】
2019144791.tif 000009
【図８】
2019144791.tif 000010